(57)【特許請求の範囲】
【請求項１】
電気的に区分されてそれぞれブロックを構成するレールに列車が停止すべきブロックを指定する情報と前記情報が送出されるブロックの番号とを含むディジタル信号を送出する地上装置と、前記レールに沿って互いに間隔をおいて配置されその位置情報を読み出し可能に格納しているトランスポンダ地上子と、列車上に配置された車上装置とからなる車上主体型自動列車制御装置であって、
前記車上装置が、前記レールに送出された信号を受信して出力するＡＴＣ受信手段と、前記トランスポンダ地上子に格納された位置情報を読み込んで出力するトランスポンダ受信手段と、列車の車軸に結合され車軸の回転に応じて速度パルスを発信する速度発電機と、前記ＡＴＣ受信手段の出力と前記トランスポンダ受信手段の出力と前記速度発電機の速度パルスとに基づいてブレーキ指令をブレーキ装置に出力するＡＴＣ制御部とを有し、
前記ＡＴＣ制御部が、複数のブロックそれぞれに１対１に対応して設定され列車が停止すべきブロックに停止するまでの各位置における許容速度を表す速度パターンと前記停止すべきブロックを特定する情報とを組合せて格納するメモリと、前記トランスポンダ受信手段が出力した位置情報を格納する位置情報メモリとを備え、前記位置情報メモリに格納された位置情報を前記速度パルスに基づいて更新して自列車位置を認識し、前記ＡＴＣ受信手段が受信した停止すべきブロックを特定する情報に基づいて当該ブロックに対応する速度パターンを前記メモリから読み出し、読み出した速度パターンと前記自列車位置とに基づいてその位置における許容速度を算出し、算出した許容速度と自列車速度との偏差に応じたブレーキ指令を出力し、前記位置情報メモリに前記トランスポンダ受信手段が出力した位置情報が格納されていないとき、前記地上装置から送信されるブロック番号で特定されるブロックを自列車位置のブロックとし、当該ブロックの末端から予め設定された特定距離だけ離れた位置を自列車位置と認識する主体型自動列車制御装置において、
前記ＡＴＣ制御部が、ブロック番号に対応して当該ブロックの末端から予め設定された距離を格納するメモリを備え、前記位置情報メモリに前記トランスポンダ受信手段が出力した位置情報が格納されていないとき、前記地上装置から送信されるブロック番号で特定されるブロックを自列車位置のブロックとし、当該ブロックの末端から予め設定された距離情報を前記メモリから読み出し、自列車位置と認識することを特徴とする車上主体型自動列車制御装置。
【発明の詳細な説明】
【０００１】
【発明が属する技術分野】
本発明は自動列車制御装置に係り、特に、先行列車がある場合などの、列車を減速させる速度制御を行う場合に列車側が主体となって速度制御を行う車上主体型自動列車制御装置に関する。
【０００２】
【従来の技術】
従来の鉄道車両用自動列車制御装置（以下、ＡＴＣ装置という）では、列車が走るレールがある長さごとに電気的に区分されてブロックが形成され、地上装置が各ブロックごとに、列車に対して許容速度を指示する信号を送信している。列車上には、各列車にそれぞれ車上装置が設置され、この車上装置はこの許容速度を指示する信号を軌道回路を介して受信し、受信した許容速度と自列車速度を比較する。自列車速度が許容速度を超えると、車上装置は自動的にブレーキ指令をブレーキ装置に対して与え、列車速度を自動的に許容速度以内に制御している。列車が走っているレールの、該列車進行方向前方に別の列車（先行列車）が走っている（あるいは停止している）場合、地上装置は後を走っている列車（続行列車）が、先行列車が走っている（あるいは停止している）ブロック（在線ブロック）に近づくにつれて、続行列車に対して低い許容速度の信号を与える。
【０００３】
地上装置が指示する許容速度は、同じブロックでは変化しないから、続行列車はブロック単位で階段状の速度制限を受け、先行列車に追突しないように、先行列車の手前のブロックのレール上に停止するよう制御される。
【０００４】
【発明が解決しようとする課題】
運転効率、すなわち運行本数を増やすこと、列車の平均速度をあげることを考えると、先行列車と続行列車との間隔は安全を確保し得る範囲で短いほうが望ましい。
【０００５】
上記従来の制御方式では、許容速度が階段状に変化する制御であるため、列車は許容速度がそれまでよりも低いブロックに進入した場合は、そのブロックを構成するレール区間の始端で、それまでよりも低い許容速度を受信し、直ちにブレーキが動作する。したがって列車速度は、列車がそのブロックを構成するレール区間の末端に達する前に許容速度以下に低下し、作動したブレーキは一旦緩むことになる。
【０００６】
つまり、先行列車との距離を詰めるという観点からすれば、上記従来の方法は、必要以上に早めにブレーキが動作することになっていた。また許容速度が階段状に変化するようになっているため、階段の数だけ、何度もブレーキの動作、緩解を繰り返すため、乗り心地に与える悪影響もあった。
【０００７】
さらに、ブレーキ性能の異なる複数の車種の列車が走行する場合、地上装置は各列車のブレーキ性能を認識できるようになっていないため、地上装置が指示する許容速度は、その線区を走行する最もブレーキ性能の低い列車に対しても、安全を保つように配慮されている。すなわち、ブレーキ性能の低い列車のブレーキ距離を前提に許容速度を決定し、ブレーキ性能の高低に関係なく、すべての列車に対して一律に許容速度を指示するようになっていた。そのため、ブレーキ性能の高い列車も、ブレーキ性能の低い列車にあわせた走行の仕方になってしまうという、運転効率上の無駄があった。
【０００８】
本発明の目的は、先行列車の存在によって後続する列車の運行が制約される場合でも、後続する列車の運転効率を良くすることにある。
【０００９】
【課題を解決するための手段】
上記の目的を達成するため、本発明は、地上装置には、列車に対してどこで止まるべきかを指示する情報をレールを介して提供する機能を、車上装置には、この情報によって指定された位置に停止するためには、どのような速度で走行することが必要かを自列車の位置をもとに判断して必要に応じてブレーキを掛ける機能を、それぞれもたせるようにするとともに、自列車の位置が確認できない場合に車上装置が自列車の位置を暫定的に設定するようにしたものである。
【００１０】
すなわち、上記目的を達成する本発明は、地上装置は、列車が停止すべきブロック番号（停止ブロック番号）を軌道回路を介して車上装置に送信するとともに、停止ブロック番号が送信されるブロックの番号を、前記停止ブロック番号に併せて自ブロック番号として車上装置に送信する。車上装置は、トランスポンダ地上子から読み出された位置情報を位置情報メモリに保持し、位置情報メモリのデータを車軸の回転に応じて出力される速度パルスに基づいて更新して常に自列車が走行中の位置を認識する。トランスポンダ地上子から読み出された位置情報が位置情報メモリに格納されていない間は、地上装置から送信される自ブロック番号で指定されるブロックに列車が位置するものとし、そのブロックの列車進行方向末端から予め指定された特定距離だけ離れた位置を自列車位置と認識する。車上装置はまた、列車ごとにかつブロックごとに予め設定された速度パターン（当該列車のブレーキ性能を十分に発揮することを前提として当該列車の最高速度から減速して当該ブロックの指定の位置で停止する減速過程を示す位置―許容速度パターン）をデータベースとしてメモリに保持し、地上装置から受信した停止ブロック番号に対応する速度パターンを読み出す。車上装置は、読み出した速度パターンと前記認識している自列車位置から定まる許容速度に自列車速度を対比し、許容速度と自列車速度の偏差に応じてブレーキ指令を出力して列車の速度を制御し、停止すべきブロック内に列車を停止させる。
【００１１】
具体的には、上記目的を達成する本発明の第１の手段は、電気的に区分されてそれぞれブロックを構成するレールに列車が停止すべきブロックを指定する情報と前記情報が送出されるブロックの番号とを含むディジタル信号を送出する地上装置と、前記レールに沿って互いに間隔をおいて配置されその位置情報を読み出し可能に格納しているトランスポンダ地上子と、列車上に配置された車上装置とからなる車上主体型自動列車制御装置であって、前記車上装置が、前記レールに送出された信号を受信して出力するＡＴＣ受信手段と、前記トランスポンダ地上子に格納された位置情報を読み込んで出力するトランスポンダ受信手段と、列車の車軸に結合され車軸の回転に応じて速度パルスを発信する速度発電機と、前記ＡＴＣ受信手段の出力と前記トランスポンダ受信手段の出力と前記速度発電機の速度パルスとに基づいてブレーキ指令をブレーキ装置に出力するＡＴＣ制御部とを有し、前記ＡＴＣ制御部が、複数のブロックそれぞれに１対１に対応して設定され列車が停止すべきブロックに停止するまでの各位置における許容速度を表す速度パターンと前記停止すべきブロックを特定する情報とを組合せて格納するメモリと、前記トランスポンダ受信手段が出力した位置情報を格納する位置情報メモリとを備え、前記位置情報メモリに格納された位置情報を前記速度パルスに基づいて更新して自列車位置を認識し、前記ＡＴＣ受信手段が受信した停止すべきブロックを特定する情報に基づいて当該ブロックに対応する速度パターンを前記メモリから読み出し、読み出した速度パターンと前記自列車位置とに基づいてその位置における許容速度を算出し、算出した許容速度と自列車速度との偏差に応じたブレーキ指令を出力し、前記位置情報メモリに前記トランスポンダ受信手段が出力した位置情報が格納されていないとき、前記地上装置から送信されるブロック番号で特定されるブロックを自列車位置のブロックとし、当該ブロックの末端から予め設定された特定距離だけ離れた位置を自列車位置と認識する主体型自動列車制御装置において、前記ＡＴＣ制御部が、ブロック番号に対応して当該ブロックの末端から予め設定された距離を格納するメモリを備え、前記位置情報メモリに前記トランスポンダ受信手段が出力した位置情報が格納されていないとき、前記地上装置から送信されるブロック番号で特定されるブロックを自列車位置のブロックとし、当該ブロックの末端から予め設定された距離情報を前記メモリから読み出し、自列車位置と認識するように構成される。
【００１２】
前記第１の手段において、前記ＡＴＣ制御部を、速度パターンに基づいて算出した許容速度と予め設定された制限速度のうちのいずれか低いほうの速度を取りだし、該取出した速度と自列車速度の偏差に応じてブレーキ指令を出力するよう構成してもよい。この場合、前記許容速度を算出するのに使った速度パターンに含まれている制限速度を用いるのが望ましい。
【００１３】
また、電気的に区分されてそれぞれブロックを構成するレールから列車が停止すべきブロックを指定する情報と前記情報が送出されるブロックの番号とを含むディジタル信号を受信して出力するＡＴＣ受信手段と、前記レールに沿って互いに間隔をおいて配置されたトランスポンダ地上子から前記トランスポンダ地上子に格納された位置情報を読み込んで出力するトランスポンダ受信手段と、列車の車軸に結合され車軸の回転に応じて速度パルスを発信する速度発電機と、前記ＡＴＣ受信手段の出力と前記トランスポンダ受信手段の出力と前記速度発電機の速度パルスとに基づいてブレーキ指令をブレーキ装置に出力するＡＴＣ制御部とを有する車上主体型自動列車制御装置の車上装置であって、前記ＡＴＣ制御部が、複数のブロックそれぞれに１対１に対応して設定され列車が停止すべきブロックに停止するまでの各位置における許容速度を表す速度パターンと前記停止すべきブロックを特定する情報とを組合せて格納するメモリと、前記トランスポンダ受信手段が出力した位置情報を格納する位置情報メモリとを備え、前記位置情報メモリに格納された位置情報を前記速度パルスに基づいて更新して自列車位置を認識し、前記ＡＴＣ受信手段が受信した停止すべきブロックを特定する情報に基づいて当該ブロックに対応する速度パターンを前記メモリから読み出し、読み出した速度パターンと前記自列車位置とに基づいてその位置における許容速度を算出し、算出した許容速度と自列車速度との偏差に応じたブレーキ指令を出力し、前記位置情報メモリに前記トランスポンダ受信手段が出力した位置情報が格納されていないとき、前記地上装置から送信されるブロック番号で特定されるブロックを自列車位置のブロックとし、当該ブロックの末端から予め設定された特定距離だけ離れた位置を自列車位置と認識する主体型自動列車制御装置の車上装置において、前記ＡＴＣ制御部が、ブロック番号に対応して当該ブロックの末端から予め設定された距離を格納するメモリを備え、前記位置情報メモリに前記トランスポンダ受信手段が出力した位置情報が格納されていないとき、前記地上装置から送信されるブロック番号で特定されるブロックを自列車位置のブロックとし、当該ブロックの末端から予め設定された距離情報を前記メモリから読み出し、自列車位置と認識するように構成してもよい。
【００１４】
上述の手段を適用することにより、列車はそれぞれのブレーキ性能に見合った減速度の速度パターンが示されるから、ブレーキが断続的に作動するのではなくて、列車停止まで連続的に作動するようになる。したがって、ブレーキの作動開始時期が後にずれ、ブレーキが作動しない期間が長くなり平均運行速度が向上するとともに、停止までのブレーキ距離が短くなり列車運転間隔を小さくして運行本数を増すことができ、運転効率が良くなる。本発明を実際に適用するには、自列車の位置を常に認識しておく必要があるが、トランスポンダ地上子からの位置情報が得られていない場合でも、仮の位置設定を行うようにしたので、安全、かつ円滑に速度制御を実施できる。
【００１５】
【発明の実施の形態】
以下、本発明の第１の実施の形態について図面を用いて説明する。
【００１６】
図１に本実施の形態の要部構成を示す。図示の実施の形態は、地上装置、車上装置、トランスポンダ地上子７及びブロックを含んで構成されている。
【００１７】
車上装置は、ＡＴＣ制御部４、ブレーキ装置５、速度発電機１０、トランスポンダ車上子８とトランスポンダ受信部２からなるトランスポンダ受信手段、及びＡＴＣ受電器９とＡＴＣ受信部３からなるＡＴＣ受信手段を含んで構成されている。
【００１８】
ＡＴＣ制御部４は、図１２に示すように、検索処理部４Ａ，自列車速度算出部４Ｂ、比較処理部４Ｃ、メモリ４５及び位置情報メモリである位置レジスタ４１を備えている。
【００１９】
速度発電機１０は、列車の車輪の回転数に応じた速度パルスをＡＴＣ制御部４に出力する。ＡＴＣ受電器９はブロック（レール）に流れる信号を検出してＡＴＣ受信部３に出力する。ＡＴＣ受信部３はＡＴＣ受電器９から入力された信号を復調してＡＴＣ制御部４に出力する。トランスポンダ車上子８は、トランスポンダ地上子７の信号を受信してトランスポンダ受信部２に出力し、トランスポンダ受信部２はトランスポンダ車上子８から入力された信号を地点情報に変換して、ＡＴＣ制御部４に出力する。メモリ４５には、ブロック番号の並びを特定できる情報、すなわちブロック接続情報４２と、各ブロックの長さに関する情報、すなわちブロック長情報４３と、各ブロック番号に対応して設定された速度パターンとが、格納されている。
【００２０】
ＡＴＣ制御部４は、トランスポンダ受信部２から入力された地点情報、ＡＴＣ受信部３から入力された地上装置からの情報、速度発電機１０から入力される速度パルス及びメモリ４５に格納されている情報に基づいて、自列車の速度が許容速度を越えていないかどうかを判断し、必要に応じてブレーキ信号を出力する。ブレーキ装置５は、ＡＴＣ制御部４から入力されるブレーキ信号に応じてブレーキを作動させる。
【００２１】
トランスポンダ地上子７は、レールに沿って間隔をおいて配置され、当該トランスポンダ地上子７が配置された場所のブロック番号と、そのトランスポンダ地上子７が配置されている位置からそこのブロックを構成するレール区間の終端までの距離（ブロック内残距離）を、データとして格納している。このデータは、列車の進行とともにトランスポンダ地上子７の近くを通過するトランスポンダ車上子８に送信される。
【００２２】
地上装置６は車上に与える情報を生成し、それをデジタル信号としてレールに流すように構成され、図３に示すように、地上制御部６Ａと、この地上制御部６Ａと各ブロックを個別に接続する通信線と、各通信線に介装された送受信部６Ｂと、を含んでいる。地上制御部６Ａは、ブロックに列車がいるかどうかを前記通信線を介して検知し、列車がいた場合、当該通信線に介装された送受信部６Ｂに、ブロックへの情報送信を指示する。情報送信を指示された送受信部６Ｂは、当該ブロックの番号（自ブロック番号）と、地上制御部６Ａから伝達された停止ブロック番号を含む信号を、当該ブロックに送信する。
【００２３】
以下、上記構成の自動列車制御装置の動作の概要を説明する。
【００２４】
地上装置は、ブロックを介して車上装置に自ブロック番号と停止ブロック番号を送信し、車上装置は、受信した停止ブロック番号に基づいてブロック番号ごとに設定された速度パターンをメモリ４５から読み出す。車上装置はトランスポンダ地上子７から伝達されるブロック番号とブロック内残距離及び速度発電機１０の速度パルスに基づいて自列車位置を常に認識しており、前記読み出した速度パターンにおける自列車位置での速度（許容速度）と、速度発電機１０から得られる現在の自列車速度を比較する。車上装置は、速度パターンにおける自列車位置での速度と現在の自列車速度の差に応じて異なる強さのブレーキ指令をブレーキ装置５に出力し、受信した停止ブロック番号のレール区間で停止するように列車速度を制御する。
【００２５】
次ぎに、上記動作の詳細について更に説明する。
【００２６】
まず、車上装置の位置認識の方法について説明する。トランスポンダ地上子７は，図３に示すように、レールに沿って所々に設置され、そのトランスポンダ地上子が設置されたブロック番号（図３では４Ｔ）と、当該ブロックの終端からトランスポンダ地上子７までの距離Ｌが、トランスポンダ車上子８による読み出しが可能なデータとして地上子内に記憶されている。トランスポンダ車上子８がトランスポンダ地上子７の直上を通過すると、それらの情報がトランスポンダ車上子８に読み込まれる。車上のＡＴＣ制御部４内には、自列車の位置の記憶、更新のため位置レジスタ４１が設けられており、この位置レジスタ４１は、ブロック番号と、ブロック内残距離とを格納するようになっている。トランスポンダ車上子８がトランスポンダ地上子７の直上を通過するとき、トランスポンダ車上子８は、トランスポンダ地上子７のデータ（前記ブロック番号４Ｔと距離Ｌ）を読み込む。トランスポンダ車上子８は、読み込んだデータをＡＴＣ制御部４に送り、ＡＴＣ制御部４は、ブロック番号と前記距離Ｌの情報をトランスポンダ車上子８から受けると、図４に示すように、位置レジスタ４１内のブロック番号とブロック内残距離を、トランスポンダ車上子８からの情報でセットする。
【００２７】
ＡＴＣ制御部４の検索処理部４Ａは、速度発電機１０からの速度パルスを取り込み、その速度パルスを積算することによって列車位置を更新できるようになっている。したがってその後、列車が進行すると、検索処理部４Ａは、速度発電機から速度パルスを取り込み、この速度パルスを積算することにより、図５に示すように、位置レジスタ４１内のブロック内残距離を減算し、位置レジスタ４１の内容を更新してゆく。すなわち、自列車の位置は、位置レジスタ４１のブロック番号とブロック内残距離に格納されたデータとして、リアルタイムで保持、格納されている。列車が更に進行してゆくと、やがて、位置レジスタ４１の残距離が０になる、即ち列車が当該ブロックの終端に達する。
【００２８】
車上のＡＴＣ制御部４のメモリ４５には、ブロック番号の並びを特定できる情報、すなわちブロック接続情報が格納されている。具体的には図６に示すように、ブロック番号の実際の線路での並び方が分かる情報、接続情報４２がメモリ４５の中に記憶されている。位置レジスタ４１のブロック内残距離がゼロになると、検索処理部４Ａは、メモリ４５の中に記憶されたブロック番号の並びに関する情報から、現在の位置レジスタのブロック番号の次のブロック番号を検索する。またメモリ４５の中には図７に示すように、各ブロックの長さに関する情報、すなわちブロック長情報４３も記憶されており、検索処理部４Ａの論理により、先ほど検索した新しいブロック番号のブロックの長さがこの情報から検索され、新しいブロック番号と、そのブロックの長さが、図８に示すように、位置レジスタ４１に新しい位置情報としてセットされる。
【００２９】
このようにして、位置レジスタ４１は、列車の進行に合わせて常に計算、更新される。もし、この状態で走行中に新たにトランスポンダ地上子７を通過した場合、位置レジスタ４１は当該トランスポンダ地上子から得られた情報に書き換えられる。位置レジスタ４１のブロック内残距離は、速度パルスにより更新されるため、速度パルスがその速度発電機が結合されている車軸の車輪の空転や滑走などで、誤差を生ずることもあり得るが、その場合、次のトランスポンダ地上子７の情報を受けることにより補正される。
【００３０】
上述のようにして、自列車の位置は、常に、走行中のブロック番号と、そのブロック番号で示されるレール区間の末端までの距離（ブロック内残距離）という形で、ＡＴＣ制御部４に保持されている。
【００３１】
次ぎに、地上装置から送信される停止ブロック番号について図３を参照して説明する。地上制御部６Ａは、通信線を介して各ブロックに列車がいるかいないかを常時検知しており、あるブロック（図３の例では２Ｔ）に列車Ａがいる場合（列車が走行しているか、停止しているかに関わりなく）、その後方の列車Ｂがいるブロックに接続された通信線に介装された送受信部６Ｂ５に対して、ブロック番号２Ｔから所定の距離だけ列車Ｂ側に離れたブロックの番号（例えば３Ｔ）を送信する。送受信部６Ｂ５は、受信したブロック番号３Ｔを停止ブロック番号とし、自己の属するブロック番号５Ｔを自ブロック番号として、停止ブロック番号と自ブロック番号のデジタル信号を生成し、特定の周波数で変調（ＭＳＫ変調）してブロック５Ｔに出力する。当然、列車Ａが存在するブロック２Ｔに対しても、列車Ａの前方にいる列車の位置で決まる停止ブロック番号と自ブロック番号２Ｔが、ブロック２Ｔに接続された通信線を介して送受信部６Ｂ２から出力される。ブロック５Ｔに出力された信号は、ＡＴＣ受電器９によりレールから検出され、ＡＴＣ受信部３で復調されてＡＴＣ制御部４に入力される。
【００３２】
ＡＴＣ制御部４のメモリ４５には、停止ブロック番号として指定されるブロック番号毎に、当該列車が、停止ブロック番号で指定されたブロックのレール区間で停止するための減速状態を規定する速度パターンが記憶されている。速度パターンとは、位置と速度の対の情報であり、指定されたブロックの終端までに列車速度ゼロにするブレーキ曲線である。この速度パターンは停止ブロックとして指定されるブロックとその外方一定距離分の長さに亘って定義されている。一定の長さとは当該列車が最高速度からブレーキを掛けて止まり得る距離に余裕を加えたものである。列車が最高速度からブレーキを掛けて止まり得る距離は列車のブレーキ性能、列車種別、線路の勾配、カーブの程度等により異なる。したがって、この速度パターンの形状は、列車ごとに、かつ停止ブロックごとに設定されている。通常は図１１の(ｂ)のような放物線状であるが、もし、当該区間が下り勾配の場合は、同じブレーキ性能を仮定した場合、実効ブレーキ減速度が下り勾配によって低くなってしまうため、この場合の速度パターンは（ｃ）に示すように傾きの低い、言わば「寝た」曲線となる。また、途中に急なカーブなどがある場合は、その区間に速度制限が加わり（ｄ）に示すような形状になることもあり得る。これらの速度パターンはブロック番号ごとにメモリ４５に記憶されている。
【００３３】
ＡＴＣ制御部４の検索処理部４Ａは、受信した停止ブロック番号に対応する速度パターン、例えば図９に示すような速度パターンをメモリ４５から読み出す。検索処理部４Ａは、速度パターンを読み出したら、次に自列車の位置即ち位置レジスタ４１の内容から、読み出した速度パターンの距離軸上のどこに自列車がいるかを、求める。先に述べたようにメモリ４５には、各ブロックの接続情報４２と、各ブロックの長さの情報（ブロック長情報４３）をも記憶されている。検索処理部４Ａは、停止ブロック番号と自ブロック番号の間にある全てのブロック番号を検索する。そしてこれらのブロックの長さを全て検索し、これらの総和を求める。次に位置レジスタ４１のブロック内残距離を加える。この値が停止ブロックの終端から、自列車位置までの距離になる。
【００３４】
検索処理部４Ａは、この距離を読み出した速度パタ−ンの距離軸として速度パターンに割り当て、それに対応する速度を当該速度パターンから求める。ここで得られた速度がその時点（その位置）での列車の許容速度になる。模式的には、図１４に示すように、速度パターン上で自列車の位置を決定し、その位置におけるパターン上の速度を許容速度Ｖ１として求める。
【００３５】
得られた許容速度Ｖ１は比較処理部４Ｃに送られ、速度発電機１０から出力された速度パルスに基づいて自列車速度算出部４Ｂで算出された自列車速度Ｖｔが、許容速度Ｖ１から減算される。比較処理部４Ｃは、自列車速度Ｖｔと許容速度Ｖ１の偏差ΔＶ（＝許容速度Ｖ１−自列車速度Ｖｔ）の値に応じて、図１５に示すように、段階的なブレーキ力のブレーキ指令を、ブレーキ装置５に出力する。すなわち、図１０に示すように、速度パターンを基準にブレーキの強弱が調整されながら、この速度パターンに沿って減速され、ブロック３Ｔの終端までに停止するような制御が行われる。
【００３６】
図１５に示すように、自列車速度Ｖｔが許容速度Ｖ１より予め設定された値以上低いとき（ΔＶ≧ΔＶ０）には、ブレーキ指令は出力されないが、その差が小さくなるにつれ徐々に強いブレーキ指令が出力されるようになっている。自列車速度Ｖｔが速度パターンで規定される許容速度Ｖ１を超過すると、常用最大ブレーキＢ７が出力される。このブレーキ出力の結果により、実速度は速度パターンに沿って減速し、パターンの終端で実列車速度もゼロとなる。自列車速度Ｖｔが許容速度Ｖ１より低い場合でもブレーキ指令が出力されるのは、自列車速度Ｖｔが許容速度Ｖ１を超過してからブレーキをかけるのでは、速度の超過が大きくなること、自列車速度Ｖｔが許容速度Ｖ１を超過してから急に強いブレーキをかけると衝撃が大きく、不快感を与えること、などが理由である。
【００３７】
なお、図１３に示すように、通常、制御上のマージンを持たせるために、速度パターンの終端は、当該ブロック内残距離「０」の位置ではなく、余裕距離をとり、ブロック内残距離「Ｌ０ｍ」の位置に設定している。これにより距離認識の誤差などに対するマージンとしている。
【００３８】
図２に、本実施の形態による列車の減速時の速度パターン（破線）と、従来の段階的な減速パターン（実線）を対比して示す。下部に示したのはブレーキ指令であり、横軸の上側が従来技術の場合、横軸の下側が本発明の場合である。図から明らかなように、従来技術の場合、許容速度がブロック単位で出力されるために許容速度０の信号が早い段階で出されており、このため、ブレーキ指令が２回に分かれ、かつ、早い時期になって、図のア点で減速が開始される。一方、本発明の場合、許容速度０の信号は停止位置であるエ点であり、ブレーキ指令は減速開始から停止まで中断することなく連続して出力されている。
【００３９】
この結果、減速期間中の走行距離が短くて済むため、減速開始時期が図のイ点となり、従来技術の場合のア点よりも遅い位置（停止位置に近い点）になる。したがって、減速前の速度Ｖ０での走行距離が長くなり、平均運行速度が高くなる。また、列車停止位置も、従来技術の場合のウ点に対し、本発明の場合はエ点となり、先行列車との間隔を短縮できる。
【００４０】
一方、このシステムでは、電源が遮断されたら位置レジスタ４１のデータはなくなる。したがって、例えば電車が始発駅などで電源投入した直後、あるいは停電などで列車が停止したのち電源が復旧したときは位置未確定であり、トランスポンダ地上子７を通過するまでは自列車位置を確定することが出来ない。電源投入時にたまたまトランスポンダ地上子の直上にいれば別であるが、一般的には、電源投入直後は自列車位置は不定のままである。その状態で走行し、トランスポンダ地上子を通過して初めて自列車位置が認識される。したがって、電源投入時には自列車の位置が車上装置では認識されておらず、上述の方法では許容速度の算出ができない。
【００４１】
そこで、本発明においては、電源投入時など、位置未確定の際には、次ぎのような手順で仮位置設定を行うこととした。すなわち、位置レジスタ４１の「ブロック番号」が図１６に示すように地上から送信される「自ブロック番号」に、「ブロック内残距離」が、前記「自ブロック番号」で指定されるブロックのレールの終端から予め設定された距離だけ離れた特定位置に無条件にセットされる。本実施の形態では、残距離「０」の特定位置に無条件にセットされる。
【００４２】
なお、位置レジスタ４１の「ブロック内残距離」に設定する残距離、すなわち自列車が位置するブロックの列車進行方向末端からの距離としては、各停止ブロックに対応してメモリ４５に格納されている速度パターンの終端の残距離(余裕距離Ｌ０ｍ)としてセットするようにしてもよい。
【００４３】
ＡＴＣ制御部４は、速度制御のための速度パターンとしては、通常どおり、地上装置から送信される「停止ブロック番号」で指定されるものを選択する。そしてこれによって検索された速度パターンの距離軸上で、自列車位置が位置レジスタ４１の「ブロック番号」で示されるブロックの終端にあるとして決定される速度を許容速度Ｖ１として、前記図１５に示す論理に基づいてブレーキ指令を出力する。
【００４４】
もし、トランスポンダ地上子を通過する前に、地上から伝送される停止ブロックが自ブロックであった場合、自列車位置はちょうどパターン終端にあるから、速度パターンで規定される速度は「０」であり、ブレーキが指令された状態となる。残距離が前記余裕距離「L０ｍ」に設定された場合でも、速度パターンから算出される速度は「０」であって、ブレーキが指令された状態となり、列車は進行できない。しかし、進路が開通するか先行列車が進んで、停止ブロックが内方（列車進行方向前方）に移動した場合は、この仮設定した自列車位置すなわち位置レジスタ４１に格納された位置により、通常と同様、パターン検索、パターン参照によって、列車制御が行われる。
【００４５】
なお、この位置レジスタ４１に設定された位置はあくまで仮位置であるから、一定距離走行する内にトランスポンダ地上子を通過して位置確定しない場合は、位置レジスタのデータを消去し、再度自列車位置未確定にし、非常ブレーキを指令するようにするのが望ましい。この場合は一旦停止後、前記電源投入時の手順が繰り返されるようにすればよい。
【００４６】
上述の論理にしたがって制御を行うことにより、自列車の位置が未確定であっても、列車運行の安全が確保され、制御を円滑に行うことができる。自列車位置が確定している場合に比べれば、速度は制限を受けるものの、最初のトランスポンダ地上子まで走行し、トランスポンダ地上子を通過して位置が確定すれば、平常の制御に遷移させることができる。なお、次のトランスポンダを受けるまでに別のブロックに入った場合には、地上からの受信する「自ブロック番号」が変わるため、前述と同様な方式によって自列車位置を与え、同様な制御を継続する。
【００４７】
また、特定のブロックでの電源投入時のどの位置未確定の際に、位置レジスタ４１の「ブロック番号」を地上から送信される「自ブロック番号」にセットし、「ブロック内残距離」に予めメモリ４５に備えた該ブロックに対応した残距離をセットすることもできる。この場合、この残距離を以後走行に伴ない、速度発電機の速度パルスを積算して減算し、位置レジスタを更新することであたかも平常の制御として動作する。以後トランスポンダ地上子７を通過し、平常の制御となる。
【００４８】
本実施の形態によれば、列車は、当該列車のブレーキ性能を十分に生かした減速度パターンで、ブロックの区切りと無関係に減速されるから、減速開始後列車停止までブレーキが解除されることがなく、減速走行する距離が短縮される。言い換えると、停止のためのブレ―キングの開始が遅くてすみ、列車の運行平均速度が高まる。また、先行列車との間隔も詰めることができ、運転効率の向上、乗り心地の向上に寄与することができるとともに、自列車の位置が未確定であっても、列車運行の安全が確保され、制御を円滑に行うことができる。
【００４９】
次に図１７を参照して本発明の第２の実施の形態を説明する。本実施の形態が前記第１の実施に形態と相違するのは、比較処理部４Ｃが、図１７に示すように、速度パターンから算出された許容速度Ｖ１と予め設定された最低の速度制限値（例えば６５ｋｍ／ｈ）のうちの低い方の速度を許容速度としてブレーキ指令を出力するように構成されている点である。他の構成は前記第１の実施の形態と同じであり、詳細な説明は省略する。
【００５０】
このブレーキ指令出力の論理を図１７に示す。ここで、前記予め定められた一定の速度（例示した６５ｋｍ／ｈ）というのは、車上装置のメモリ４５に記憶されている本来の速度パターンに含まれる最低の速度制限値であるが、列車停止のための減速曲線で規定される速度ではなく、レールのカーブや分岐の存在など、レールの条件で規定される速度制限値である。例えば、図１１の（ｄ）の領域Ｓは、レールのカーブがきついために、低い速度に制限されている。列車が図１１の（ｄ）のイ点にいて停電し、停電復旧後、電源を入れたとする。前記第１の実施の形態の論理に基づき、位置レジスタに設定される位置が実際のブロックの末端ロ点に設定され、その時点での停止ブロックに基づく速度カーブが図１１の（ｄ）のような形状であると、列車が実際は図１１の（ｄ）のイ点にいるのに、ブロックの末端（ロ点）にいるとして速度パターンから速度を算出される。この場合、算出された速度は実際の位置（イ点）に対応する速度（速度制限値）よりも高い速度となる。本実施の形態では、位置レジスタに設定されたロ点に対応する速度と速度制限値（領域Ｓに対応する速度）のうち、低速側の速度（領域Ｓに対応する速度）を選択することにより、実際の位置に対応した安全側の制御となる。
【００５１】
一方、実際は列車が許容速度が高いハ点にいるのに、前記論理により、低い速度制限値に対応した速度になるようブレーキ指令が出力される場合がある。しかしこの場合も、列車位置が確認されていない状態で、安全側の速度で列車の運行を継続できる効果がある。
【００５２】
【発明の効果】
本発明によれば、列車の平均運行速度を高めることができ、列車の運転効率を向上させるとともに、電源投入直後などのトランスポンダ地上子による列車位置確認ができない場合でも、円滑に列車を制御することが可能である。
【図面の簡単な説明】
【図１】本発明の第１の実施の形態の全体構成を示すブロック図である。
【図２】従来技術の場合の列車速度の変化と図１に示す実施の形態の列車速度の変化を対比して示す概念図である。
【図３】図１に示す実施の形態の地上装置の配置例を示す概念図である。
【図４】図１に示す実施の形態のトランスポンダ地上子のデータと位置レジスタのデータの関連を示す図である。
【図５】図１に示す実施の形態の速度パルスのデータと位置レジスタのデータの関連を示す図である。
【図６】図１に示す実施の形態の接続情報の例を示す図である。
【図７】図１に示す実施の形態のブロック長情報の例を示す図である。
【図８】図１に示す実施の形態の車上のメモリに格納されたデータと位置レジスタのデータの更新時の関連を示す図である。
【図９】図１に示す実施の形態の停止ブロックと速度パターンの対応を説明する概念図である。
【図１０】図１に示す実施の形態の速度パターンとブレーキ指令の関連の例を示す概念図である。
【図１１】図１に示す実施の形態の速度パターンの例を示す図である。
【図１２】図１に示す実施の形態のＡＴＣ制御部の構成例を示すブロック図である。
【図１３】図１に示す実施の形態の速度パターンと起動回路の位置の関係の例を示す概念図である。
【図１４】図１３に示す速度パターンに基づいて許容速度の検索を行う方法を説明する概念図である。
【図１５】図１に示す実施の形態のブレーキ出力の選択論理を示す概念図である。
【図１６】図１に示す実施の形態における電源投入時の位置レジスタの設定方法を示す概念図である。
【図１７】本発明の第２の実施の形態におけるブレーキ指令出力の論理を説明する概念図である。
【符号の説明】
１  レール
２  トランスポンダ受信部
３  ＡＴＣ受信部
４  ＡＴＣ制御部
４Ａ  検索処理部
４Ｂ  自列車速度算出部
４Ｃ  比較処理部
５  ブレーキ装置
６  地上装置
６Ａ  制御部
６Ｂ２〜６Ｂ５  送受信部
７  トランスポンダ地上子
８  トランスポンダ車上子
９  ＡＴＣ受電器
１０  速度発電機
４１  位置レジスタ
４２  接続情報
４３  ブロック長情報
４５  メモリ
【図１】
0004025955.tif 000002
【図２】
0004025955.tif 000003
【図３】
0004025955.tif 000004
【図４】
0004025955.tif 000005
【図５】
0004025955.tif 000006
【図６】
0004025955.tif 000007
【図７】
0004025955.tif 000008
【図８】
0004025955.tif 000009
【図９】
0004025955.tif 000010
【図１０】
0004025955.tif 000011
【図１１】
0004025955.tif 000012
【図１２】
0004025955.tif 000013
【図１３】
0004025955.tif 000014
【図１４】
0004025955.tif 000015
【図１５】
0004025955.tif 000016
【図１６】
0004025955.tif 000017
【図１７】
0004025955.tif 000018